(57)【要約】【課題】担架載置部を昇降可能に支持する昇降支持機構の簡素化により、部品点数の削減、コストダウン等を図ること。【解決手段】上方に担架が載置される担架載置部を昇降可能に支持する昇降支持機構を有し、担架載置部の間に介助者が入出可能な空間部が形成され、長辺が浴槽の長辺に横付けされて使用される入浴用ストレッチャーであって、昇降支持機構は、基フレームと、担架載置部とに亘って各リンク軸にて軸着されると共に、間に空間部を介して入浴用ストレッチャーの長辺方向に沿って配設される少なくとも一対のリンク片と、浴槽に横付けされる側において一対のリンク片同士を連結する連結部材とを備え、基フレームとリンク片と連結部材とで平行リンク機構を構成した。【選択図】図２
2014057744.tif 000002
【特許請求の範囲】
【請求項１】
上方に担架が載置される担架載置部を昇降可能に支持する昇降支持機構を有し、前記担架載置部の間に介助者が入出可能な空間部が形成され、長辺が浴槽の長辺に横付けされて使用される入浴用ストレッチャーであって、
前記昇降支持機構は、基フレームと、前記担架載置部とに亘って各リンク軸にて軸着されると共に間に前記空間部を介して入浴用ストレッチャーの長辺方向に沿って配設される少なくとも一対のリンク片と、前記浴槽に横付けされる側において前記一対のリンク片同士を連結する連結部材と、を備え、
前記基フレームと前記リンク片と前記連結部材とで平行リンク機構を構成した、
ことを特徴とする入浴用ストレッチャー。
【請求項２】
前記連結部材は、入浴用ストレッチャーが前記浴槽に横付けされた状態において、前記介助者が前記浴槽への接近動作の妨げにならない位置で前記リンク片に対して架け渡される、
ことを特徴とする請求項１に記載の入浴用ストレッチャー。
【請求項３】
前記浴槽に対して入浴用ストレッチャーを横付けする方向に応じて前記連結部材の位置を変更自在にした、
ことを特徴とする請求項１または２に記載の入浴用ストレッチャー。
【請求項４】
前記連結部材を入浴用ストレッチャーの一方側長辺から他方側長辺、およびその逆の方向にも反転させることで位置変更を自在にした、
ことを特徴とする請求項３に記載の入浴用ストレッチャー。
【請求項５】
前記連結部材を入浴用ストレッチャーの一方側長辺から他方側長辺、およびその逆の方向にもスライドさせることで位置変更を自在にした、
ことを特徴とする請求項３に記載の入浴用ストレッチャー。
【請求項６】
前記空間部に前記介助者が搭乗可能な搭乗台が設けられ、前記昇降支持機構を昇降駆動させる昇降駆動手段が前記搭乗台の下方に配置される、
ことを特徴とする請求項１ないし５のいずれかに記載の入浴用ストレッチャー。
【発明の詳細な説明】
【技術分野】
【０００１】
本発明は、入浴者を載せた担架を浴槽まで搬送するのに使用する入浴用ストレッチャーに関するものである。
【背景技術】
【０００２】
従来から、入浴者を載せた担架を入浴用ストレッチャーにより搬送し、入浴用ストレッチャーの一方側長辺を浴槽の一方側長辺に横付けし、これらを係合した後、担架を浴槽内方の受け台上に渡して、浴槽を昇降機構により上昇させて入浴者を入浴させる入浴装置が知られている。
【０００３】
そして、本出願人は、浴槽受け台上と入浴用ストレッチャー上との間における担架のスライド移動の操作等を、入浴介助者が前屈みの無理な姿勢を強いられることなく楽な姿勢で行えるようにするため、入浴用ストレッチャーの一方側長辺から他方側長辺にかけて横断する空間部を設け、この空間部に入浴介助者が入り込み搭乗台上に搭乗して入浴介助ができるように入浴用ストレッチャーの改良を施した（例えば、特許文献１参照）。
【０００４】
また、上記の空間部を有し、担架を載せる担架載置部を昇降手段により昇降可能にした入浴用ストレッチャーも知られている（例えば、特許文献２参照）。
【先行技術文献】
【特許文献】
【０００５】
【特許文献１】特許３８６２８７２号公報
【特許文献２】特許３９７９７４２号公報
【非特許文献】
【０００６】
【非特許文献１】オージー技研  ＧＥＮＥＲＡＬ  ＣＡＴＡＬＯＧ  ２０１０−２０１１  ７１〜７２頁（２０１１年５月１日発行）
【発明の概要】
【発明が解決しようとする課題】
【０００７】
特許文献２に開示の技術では、昇降機（Ｘフレーム）と駆動源とからなる昇降手段が入浴用ストレッチャーの長手方向の左右に各々配置されているので、昇降手段の部品点数が多く必要となりコストが嵩み、また、入浴用ストレッチャー自体の重量も重くなり、入浴介助者による入浴用ストレッチャーの操舵性の面で難点があり、軽量化が課題であった。また、左右に昇降手段が各々独立して設けられる構成上、担架を水平に昇降させるために各昇降手段による昇降動作の同期制御をする必要があり、これがコストアップの要因の一つにもなっていた。
【０００８】
また、従来では、入浴用ストレッチャー全体における昇降手段の占有スペースの割合が高く、入浴用ストレッチャーの中央部に形成される空間部（ウォークスルーエリア）が制限されていた。このウォークスルーエリアを拡張するために長手方向寸法を長尺にすると、入浴用ストレッチャーの操舵性が損なわれるという問題もあり、長手方向寸法の長尺化による空間部の拡張は現実的ではなかった。
【０００９】
また、特許文献２には、前水受盤と後水受盤とが支持腕で連結された担架載置部の後水受盤を昇降機で片支持する構成が開示されているが、担架載置部を昇降させる構成であるため、入浴者を仰臥させた担架の担架載置部上への搭乗時や昇降時に前水受盤側に偏荷重がかかると、担架載置部が撓み、これによって担架上の入浴者が恐怖感を感じてしまい、安心して入浴ができず、精神衛生上好ましくないという欠点があった。
【００１０】
一方、入浴用ストレッチャーの長手方向左右に各々配置される四節平行リンクと、左右の四節平行リンクを同時駆動させる一つの駆動源とで昇降手段を構成する昇降式の入浴用ストレッチャーも製品化されている（非特許文献１参照。）。
【００１１】
これによれば、入浴用ストレッチャーの長手方向寸法を従来入浴用ストレッチャーに対して長尺にすることなく、空間部エリアの拡張ができ、入浴用ストレッチャーの重量の軽量化が実現できたが、平行リンク機構の一層の簡素化による昇降手段に用いる部品点数の削減、入浴用ストレッチャーの重量の軽量化およびコストダウンという課題は未解決のままであった。
【００１２】
本発明は、上記に鑑みてなされたものであり、担架載置部を昇降可能に支持する昇降支持機構の簡素化により、部品点数の削減、コストダウン、入浴用ストレッチャー重量の軽量化ができ、加えて、入浴者が恐怖感を感じることなく安心して入退浴ができる入浴用ストレッチャーを提供することを目的とする。
【課題を解決するための手段】
【００１３】
上記目的達成のため、請求項１に記載の発明は、かかる入浴用ストレッチャーは、上方に担架が載置される担架載置部を昇降可能に支持する昇降支持機構を有し、前記担架載置部の間に介助者が入出可能な空間部が形成され、長辺が浴槽の長辺に横付けされて使用される入浴用ストレッチャーであって、前記昇降支持機構は、基フレームと、前記担架載置部とに亘って各リンク軸にて軸着されると共に間に前記空間部を介して入浴用ストレッチャーの長辺方向に沿って配設される少なくとも一対のリンク片と、前記浴槽に横付けされる側において前記一対のリンク片同士を連結する連結部材と、を備え、前記基フレームと前記リンク片と前記連結部材とで平行リンク機構を構成した、ことを特徴とする。
【００１４】
請求項１に記載の発明においては、基フレーム、リンク片、連結部材の主要素で平行リンク機構を構成することで、従来の入浴用ストレッチャーに比して昇降支持機構を簡素化でき、これにより昇降支持機構を構成する部品点数の削減やコストダウンが図れる。また、昇降支持機構の簡素化により、全体重量の軽量化にも寄与でき、介助者が入浴用ストレッチャーを操舵する上で好ましいものとなる。また、間に空間部を挟んで担架載置部の両側を平行リンク機構で支持するので、担架載置部を水平状態に保ちながら安定的に昇降動作させることができ、担架の担架載置部上への移乗時や担架の昇降時に担架載置部を掴み入浴者に恐怖感を与えてしまう虞れも軽減できる。また、従来の入浴用ストレッチャーに比して、長辺寸法を延ばすことなく、より広い空間部のスペースを確保することができるので、介助者が空間部に入出したり、空間部内に入り込んで入浴介助作業を行う上で一層好ましいものとなる。
【００１５】
請求項２に記載の発明においては、前記連結部材は、前記入浴用ストレッチャーが前記浴槽に横付けされた状態において、前記介助者が前記浴槽への接近動作の妨げにならない位置で前記リンク片に対して架け渡されることを特徴とする。
【００１６】
請求項２に記載の発明によれば、連結部材は、入浴用ストレッチャーが浴槽に横付けされた状態において、介助者が浴槽への接近動作の妨げにならない位置で前記リンク片に対して架け渡されるので、介助者が空間部に入り込んで入浴者の洗身作業、担架のスライド移動や浴槽昇降の各操作を行う際の妨げにならず、従来の入浴用ストレッチャーと同等の操作性を維持することができる。また、中央部に空間部が形成される従来の入浴用ストレッチャーにおいては、搭乗台上の介助者が介助作業時に浴槽に接近することができるという利点がある一方で、昇降浴槽の可動部に近づくことによる挟み込みの危険性という安全上の欠点を有していたが、本発明では連結部材を設けているので、これが安全ガードとしての機能を果たし、挟み込みの危険性を軽減できる。
【００１７】
請求項３に記載の発明においては、前記浴槽に対して入浴用ストレッチャーを横付けする方向に応じて前記連結部材の位置を変更自在にしたことを特徴とする。
【００１８】
請求項３に記載の発明によれば、浴槽に対して入浴用ストレッチャーを横付けする方向に応じて前記連結部材の位置を変更自在にできるので、入浴用ストレッチャーを浴槽の一方側長辺および他方側長辺のどちらにも横付けして使用することが可能となり、汎用性の高いものとできる。入浴用ストレッチャーを利用する医療・福祉施設にとっても、浴槽に横付けする方向に応じてそれぞれ専用の入浴用ストレッチャーを購入・準備する必要性はなく、一台の入浴用ストレッチャーで浴槽のどちらの長辺方向からも入浴が行えるので、経済的で利便性に優れたものとなる。
【００１９】
請求項４に記載の発明においては、前記連結部材を入浴用ストレッチャーの一方側長辺から他方側長辺、およびその逆の方向にも反転させることで位置変更を自在にしたことを特徴とする。
【００２０】
請求項４に記載の発明によれば、入浴用ストレッチャーの取り扱いに習熟していない介助者であっても簡単な操作で連結部材の位置を変更することができるので、介助者の負担にならない。
【００２１】
請求項５に記載の発明においては、前記連結部材を入浴用ストレッチャーの一方側長辺から他方側長辺、およびその逆の方向にもスライドさせることで位置変更を自在にしたことを特徴とする。
【００２２】
請求項５に記載の発明によれば、入浴用ストレッチャーの取り扱いに習熟していない介助者であっても簡単な操作で連結部材の位置を変更することができるので、介助者の負担にならない。
【００２３】
請求項６に記載の発明においては、前記空間部に前記介助者が搭乗可能な搭乗台が設けられ、前記昇降支持機構を昇降駆動させる昇降駆動手段が前記搭乗台の下方に配置されることを特徴とする。
【００２４】
請求項６に記載の発明によれば、昇降駆動手段（例えば、電動アクチュエータ）が搭乗台の下方に配置されるので、搭乗台より上の昇降支持機構を簡素化でき、これにより空間部のスペースを広く確保することができる。
【発明の効果】
【００２５】
本発明では、担架載置部を昇降可能に支持する昇降支持機構の簡素化により、部品点数の削減、コストダウン、入浴用ストレッチャー重量の軽量化ができ、長辺方向の寸法を延長することなくより広い空間部のスペースを確保でき、加えて、入浴者が恐怖感を感じることなく安心して入退浴ができる入浴用ストレッチャーを提供することができる。
【図面の簡単な説明】
【００２６】
【図１】本発明の実施形態に係る入浴用ストレッチャーの平面図である。
【図２】図１において水受盤および搭乗台を取り除いた状態の入浴用ストレッチャーの斜視図である。
【図３】図１の入浴用ストレッチャーの長辺方向断面図である。
【図４】連結部材の変形例を示す斜視図である。
【図５】連結部材のさらに別の変形例を示す斜視図である。
【発明を実施するための形態】
【００２７】
以下、図１〜図３を参照して、本発明の実施の形態に係る入浴用ストレッチャーを説明する。図１は、本発明の実施形態に係る入浴用ストレッチャーの平面図であり、図２は、水受盤および搭乗台を取り除いた状態の入浴用ストレッチャーの斜視図であり、図３は、入浴用ストレッチャーの長辺方向断面図である。
【００２８】
入浴用ストレッチャー１は、基フレーム２を有する。基フレーム２は、それぞれ平行対向する一対の第１、第２長辺フレーム部２ａ，２ｂと、一対の第１、第２短辺フレーム部２ｃ，２ｄと、で構成される。第１、第２短辺フレーム部２ｃ，２ｄそれぞれの両端部下面に移動用車輪３が装着される。
【００２９】
第１、第２長辺フレーム部２ａ，２ｂそれぞれの長辺方向一端側上面に第１、第２リンク装着部材４ａ，４ｂが設けられる。第１、第２長辺フレーム部２ａ，２ｂそれぞれの長辺方向他端側上面に第３、第４リンク装着部材４ｃ，４ｄが設けられる。
【００３０】
第１、第２リンク装着部材４ａ，４ｂ間のリンク軸６ａに、Ｓ字形状の第１、第２リンク片５ａ，５ｂの下方途中が回動自在に軸着される。この軸着箇所は、下部回動支点となる。第１、第２リンク片５ａ，５ｂは、その下端部５ａ１，５ｂ１が下部回動支点よりさらに長辺方向一方の斜め方向に延びて作動部を構成する。第１、第２リンク片５ａ，５ｂの上端部５ａ２，５ｂ２は、長辺方向一方側の水受盤１７ａを保持する水受盤保持フレーム８ａに設けたリンク軸６ｂに回動自在に軸着される。この軸着箇所は、上部回動支点となる。
【００３１】
第３、第４リンク装着部材４ｃ，４ｄ間のリンク軸６ｃに、Ｓ字形状の第３、第４リンク片９ａ，９ｂの下方途中が回動自在に軸着される。この軸着箇所は、下部回動支点となる。第３、第４リンク片９ａ，９ｂは、その下端部９ａ１，９ｂ１が下部回動支点よりさらに長辺方向一方の斜め方向に延びて作動部を構成する。第３、第４リンク片９ａ，９ｂの上端部９ａ２，９ｂ２は、長辺方向他方側の水受盤１７ｂを保持する水受盤保持フレーム８ｂに設けたリンク軸６ｄに回動自在に軸着される。この軸着箇所は、上部回動支点となる。
【００３２】
長辺方向一方の水受盤保持フレーム８ａは、一対の長辺フレーム部８ａ１，８ａ２と一対の短辺フレーム部８ａ３，８ａ４とで平面視矩形枠状をなし、長辺方向他方の短辺フレーム部８ａ４は、両端が短辺方向に延びてその上にレール状担架載置部１０ａが設けられる。
【００３３】
長辺方向他方の水受盤保持フレーム８ｂは、一対の長辺フレーム部８ｂ１，８ｂ２と一対の短辺フレーム部８ｂ３，８ｂ４とで平面視矩形枠状をなし、長辺方向一方の短辺フレーム部８ｂ４は、両端が短辺方向に延びてその上にレール状担架載置部１０ｂが設けられる。
【００３４】
水受盤保持フレーム８ａの短辺フレーム部８ａ４の一端側と水受盤保持フレーム８ｂの短辺フレーム部８ｂ４の一端側とは、連結部材１１により連結される。以上により基フレーム２と、第１〜第４リンク片５ａ，５ｂ；９ａ，９ｂと、連結部材１１とにより、平行リンク機構が構成される。
【００３５】
この平行リンク機構は、昇降支持機構を構成し、基フレーム２と、長辺方向に沿って配設される左右一対の第１〜第４リンク片５ａ，５ｂ；９ａ，９ｂと、レール状担架載置部１０ａ，１０ｂとの間に空間部１２が形成され、また、連結部材１１は、浴槽２０に横付けされる側において水受盤保持フレーム８ａの短辺フレーム部８ａ４の一端側と水受盤保持フレーム８ｂの短辺フレーム部８ｂ４の一端側とを連結している。
【００３６】
基フレーム２の第１、第２長辺フレーム部２ａ，２ｂ間に電動アクチュエータ１３からなる昇降駆動手段が配備される。長辺方向一方の第１、第３リンク片５ａ，９ａそれぞれの下端部間はリンク軸１８ａにより第１連結部材１４ａに連結され、また、長辺方向他方の第２、第４リンク片５ｂ，９ｂそれぞれの下端部間はリンク軸１８ｂにより第２連結部材１４ｂに連結される。これら第１、第２連結部材１４ａ，１４ｂの長辺方向中途部は第３連結部材１５で連結されている。
【００３７】
電動アクチュエータ１３は、昇降支持機構（基フレーム２と、リンク片５ａ，５ｂ；９ａ，９ｂと、連結部材１１）を昇降駆動する昇降駆動手段として、駆動部１３ａと、駆動部１３ａに一端側が接続されて進退動するアクチュエータ部１３ｂとを有し、アクチュエータ部１３ｂの他端側は、第３連結部材１５に固定されている。
【００３８】
電動アクチュエータ１３の駆動部１３ａによりアクチュエータ部１３ｂが直線的に進退すると、第３連結部材１５が長辺方向に押されたり、戻されたりする結果、第１、第２リンク片５ａ，５ｂおよび第３、第４リンク片９ａ，９ｂは、共に、下部回動支点を中心にして時計回り方向または反時計回り方向に回動させられる。
【００３９】
この回動により、第１、第２リンク片５ａ，５ｂおよび第３、第４リンク片９ａ，９ｂの上端部が上方または下方に移動する。これと共に、連結部材１１によって相互連結された水受盤保持フレーム８ａ、８ｂは、基フレーム２と平行を保った状態で図３に実線と仮想線で示すように上昇または下降させられる。
【００４０】
基フレーム２の両長辺フレーム部２ａ，２ｂ上に搭乗台１６が載置される。この搭乗台１６の上方には、前述した空間部１２が形成される。また、水受盤保持フレーム８ａ、８ｂに設けられたレール状担架載置部１０ａ，１０ｂは、平行リンク機構により水平状態を保ちながら、電動アクチュエータ１３により昇降動作させられるので、担架が昇降する際に入浴者に恐怖感を与えてしまう虞れも軽減できる。
【００４１】
なお、昇降支持機構（基フレーム２と、リンク片５ａ，５ｂ；９ａ，９ｂと、連結部材１１）を昇降駆動させる昇降駆動手段である電動アクチュエータ１３は、搭乗台１６の下方に配置されているので、搭乗台１６より上の昇降支持機構（基フレーム２と、第１〜第４リンク片５ａ，５ｂ；９ａ，９ｂと、連結部材１１）を簡素化でき、これにより空間部１２のスペースを広く確保することができる。
【００４２】
また、従来の入浴用ストレッチャーに比して、本実施形態の入浴用ストレッチャー１は、その長辺寸法を延ばすことなく、より広い空間部１２のスペースを確保することができるので、介助者が空間部１２に入出したり、空間部１２内に入り込んだりして入浴介助作業を行う上で好ましい。
【００４３】
連結部材１１は、入浴用ストレッチャー１が浴槽２０に横付けされた状態において、介助者が浴槽２０への接近動作の妨げにならない位置で、短辺フレーム部８ａ４の一端側と短辺フレーム部８ｂ４の一端側に対して架け渡されている。
【００４４】
したがって、介助者が搭乗台１６に搭乗し搭乗台１６上の空間部１２に入り込んで入浴者の洗身作業、担架のスライド移動や浴槽昇降の各操作を行う際の妨げにならず、従来の入浴用ストレッチャーと同等の操作性を維持することができる。
【００４５】
その際、搭乗台１６上の介助者が介助作業時に浴槽に接近することができる。
【００４６】
また、浴槽２０としては、入浴用ストレッチャーに対して浴槽２０自体が昇降する構成を備えたものがあるが、その浴槽構成では、昇降する浴槽２０の可動部と入浴用ストレッチャーとの間に介助者の身体が挟み込まれる可能性がある。これに対して、本実施形態では、連結部材１１を設けることで、昇降した浴槽２０の可動部に介助者が近づくことによる挟み込みの危険性に対して、連結部材１１が安全ガードとしての機能を果たし、挟み込みの危険性を軽減できる。
【００４７】
上記実施形態では、連結部材１１は、入浴用ストレッチャー１における浴槽２０に横付けする側に固定されているが、図４を参照して説明するように、連結部材１１の位置を変更操作できるようにしてもよい。
【００４８】
なお、図４では、要部を明瞭にするために、入浴用ストレッチャー１の上部側部材（連結部材１１、水受盤保持フレーム８ａ、８ｂ）のみを描いて、下部側部材等を省略している。図４に示す連結部材１１は、その両端がアーム状の回動部材１１ａ，１１ｂの一端側に固定される。一方の回動部材１１ａの他端側には連結ピン１２ａの一端側が固定されると共に、連結ピン１２ａの他端側は、水受盤保持フレーム８ａの短辺フレーム部８ａ４に設けた支持穴に回動可能に保持されている。他方の回動部材１１ｂは、その他端側が連結ピン１２ｂの一端側に固定されていると共に、連結ピン１２ｂの他端側は水受盤保持フレーム８ｂの短辺フレーム部８ｂ４，８ｂ３に設けた貫通孔を介して短辺フレーム部８ｂ３から外方に突出している。そして、連結ピン１２ｂの突出部が操作ハンドル３０の一端側に固定されている。
【００４９】
操作ハンドル３０は平面視Ｌ形状をなして他端側を図中矢印Ａ方向で示すように回転操作させると、連結部材１１は図中矢印Ｂ方向で示すように回転し、入浴用ストレッチャー１の一方側長辺から他方側長辺、およびその逆の方向にも反転させることでその位置が変更自在になっている。これにより、入浴用ストレッチャーの取り扱いに習熟していない介助者であっても簡単な操作で連結部材１１の位置を変更することができるので、介助者の負担にならないものとなる。なお、図４のハンドル３０は、不図示のロック機構で連結部材１１が図４の位置及び、その反転位置に維持できるよう水受盤保持フレーム８ｂに対してロックされるようになっている。また、ハンドル３０を設けずに、連結部材１１を不図示のロック機構により図４の位置及びその反転位置に維持できるよう連結部材１１の回動部材１１ａ，１１ｂを短辺フレーム部８ａ４，８ｂ４に対してロックするように構成してもよい。
【００５０】
また、連結部材１１は、図５で示すように、入浴用ストレッチャー１の一方側長辺から他方側長辺、およびその逆の方向にもスライドしてその位置を変更自在にしてもよい。なお、図５では、図４と同様、要部を明瞭にするために、入浴用ストレッチャー１の上部側部材（連結部材１１、水受盤保持フレーム８ａ、８ｂ）のみを描いて、下部側部材等を省略している。
【００５１】
水受盤保持フレーム８ａ，８ｂの短辺フレーム部８ａ４，８ｂ４を断面矩形形状のスライド用レールとして、連結部材１１の両端に設けた断面が片仮名の「コ」の字形状を有する保持部１１ｃ，１１ｄをスライド用レールに係合することで、連結部材１１をスライド用レールに沿って図中矢印Ｃ方向にスライド移動可能になっている。保持部１１ｃ，１１ｄとスライド用レールとは、例えば、スライドボールベアリング、メタル軸受、樹脂メタルから構成することができる。
【００５２】
なお、図５の連結部材１１は、不図示のロック機構で入浴用ストレッチャー１の一方側長辺から他方側長辺においてそのスライド位置を固定できるようになっている。これによれば、図４の構成と同様、入浴用ストレッチャー１の取り扱いに習熟していない介助者であっても簡単な操作で連結部材１１の位置を変更することができるので、介助者の負担にならない。
【００５３】
なお、連結部材１１は、直線状であったが、これに限定されず、湾曲状等、その形状は任意である。また、昇降駆動手段として電動アクチュエータを用いたが、これに限定されず、油圧シリンダと油圧ポンプとを用いた昇降駆動手段であってもよいし、モータと螺子シャフトとを用いた昇降駆動手段であってもよい。
【００５４】
また、リンク片は、４つ用いたが、例えば、長辺方向一方の２つのリンク片を１つに合体し、長辺方向他方の２つのリンク片を１つに合体して構成することで、リンク片２つの構成としてもよい。
【符号の説明】
【００５５】
１  入浴用ストレッチャー
２  基フレーム
５ａ，５ｂ  第１、第２リンク片
６ａ〜６ｄ  リンク軸
９ａ，９ｂ  第３、第４リンク片
１０ａ，１０ｂ  レール状担架載置部
１１  連結部材
１２  空間部
１３  電動アクチュエータ
２０  浴槽  
【図１】
2014057744.tif 000003
【図２】
2014057744.tif 000004
【図３】
2014057744.tif 000005
【図４】
2014057744.tif 000006
【図５】
2014057744.tif 000007